(57)【要約】【課題】洗面カウンターのボウル部の奥側に配置された操作部を操作しようとして腕を伸ばして前のめりの姿勢となってしまうことがなく、身体障害者や子供、お年寄りにとっても操作し易い洗面化粧台を提供する。【解決手段】洗面カウンター１に形成したボウル部２内に湯水を吐出するカラン３を設けると共に、ジョイスティック４１の傾倒方向および傾倒角度にて湯水の混合比および吐出量を任意に調節可能とした混合栓４を設け、ジョイスティック４１を洗面カウンター１またはボウル部２近傍に配置し、ジョイスティック４１の傾倒方向に応じた湯水の混合比における湯水温度を表示する扇形の表示部Ｈをジョイスティック４１の傾倒方向に対応するように設けた。【選択図】図１
2011174373.tif 000002
【特許請求の範囲】
【請求項１】
洗面カウンターに形成したボウル部内に湯水を吐出するカランを設けると共に、ジョイスティックの傾倒により該ジョイスティックに連結される可動板が固定板に対して摺動して該可動板及び固定板を介して連通する湯流入口と水流入口の開口面積が変化し、前記ジョイスティックの傾倒方向および傾倒角度にて湯水の混合比および吐出量を任意に調節可能とした混合栓を設け、前記ジョイスティックを洗面カウンターに配置し、ジョイスティックの傾倒方向に応じた湯水の混合比における湯水温度を表示する扇形の表示部をジョイスティックの傾倒方向に対応するように設けて成ることを特徴とする洗面化粧台。
【請求項２】
ボウル部内に湯水を吐出するカランを設けると共に、ジョイスティックの傾倒により該ジョイスティックに連結される可動板が固定板に対して摺動して該可動板及び固定板を介して連通する湯流入口と水流入口の開口面積が変化し、前記ジョイスティックの傾倒方向および傾倒角度にて湯水の混合比および吐出量を任意に調節可能とした混合栓を設け、前記ジョイスティックをボウル部の近傍に配置し、ジョイスティックの傾倒方向に応じた湯水の混合比における湯水温度を表示する扇形の表示部をジョイスティックの傾倒方向に対応するように設けて成ることを特徴とする洗面化粧台。
【請求項３】
ジョイスティックを傾倒させて湯水を吐出させる時に点灯する点灯部をジョイスティックに配置して成ることを特徴とする請求項１又は２記載の洗面化粧台。
【発明の詳細な説明】
【技術分野】
【０００１】
本発明は、湯水の混合比および吐出量を調節可能とした混合栓を設けた洗面化粧台に関するものである。
【背景技術】
【０００２】
従来より、湯水の混合比および吐出量を調節可能とした混合栓を設けた洗面化粧台が知られている（例えば特許文献１参照）。
【０００３】
従来の洗面化粧台にあっては、図７に示すように、洗面カウンター１に形成してあるボウル部２に湯水を吐出するカラン３を設けてあると共にシングルレバー式の混合栓４を設けてある。混合栓４は、平面視におけるレバー本体４１’の向き、すなわち、レバー本体４１’の先端の回動中心からのレバー本体４１’の突出方向に応じて湯水の混合比が任意に調節されると共に、レバー本体４１’の先端を中心とするレバー本体４１’の下方への押し下げ角度に応じて湯水の吐出量が任意に調節されるものである。
【０００４】
この従来例の洗面化粧台にあっては、混合栓４のカラン３がボウル部２の奥側に配置されていると共に操作部であるレバー本体４１’がカラン３の側方のボウル部２の奥側に配置されていた。このため、身体障害者や子供、お年寄りにとっては操作部のレバー本体４１’に手をかけるのに腕を伸ばして前のめりの姿勢となってしまい、操作し難いものであった。
【先行技術文献】
【特許文献】
【０００５】
【特許文献１】特開平０８−１２６５８５
【発明の概要】
【発明が解決しようとする課題】
【０００６】
本発明は上記の点に鑑みてなされたものであり、その目的とするところは、奥方に配置された操作部を操作しようと腕を伸ばして前のめりの姿勢となってしまうことがなく、身体障害者や子供、お年寄りにとっても操作し易い洗面化粧台を提供することを課題とするものである。
【課題を解決するための手段】
【０００７】
上記課題を解決するために請求項１に係る発明にあっては、洗面カウンター１に形成したボウル部２内に湯水を吐出するカラン３を設けると共に、ジョイスティック４１の傾倒により該ジョイスティック４１に連結される可動板６が固定板５に対して摺動して該可動板６及び固定板５を介して連通する湯流入口５ａと水流入口５ｂの開口面積が変化し、前記ジョイスティック４１の傾倒方向および傾倒角度にて湯水の混合比および吐出量を任意に調節可能とした混合栓４を設け、前記ジョイスティック４１を洗面カウンター１に配置し、ジョイスティック４１の傾倒方向に応じた湯水の混合比における湯水温度を表示する扇形の表示部Ｈをジョイスティック４１の傾倒方向に対応するように設けて成ることを特徴とするものである。
【０００８】
このような構成とすることで、湯水を吐出しようと腕を伸ばして前のめりの姿勢となってしまうことがなく、身体障害者や子供、お年寄りにとっても容易に操作することができ、扇形の表示部Ｈにより、吐出する湯水の温度が見た目ですぐに分かるものである。
【０００９】
また請求項２に係る発明にあっては、ボウル部２内に湯水を吐出するカラン３を設けると共に、ジョイスティック４１の傾倒により該ジョイスティック４１に連結される可動板６が固定板５に対して摺動して該可動板６及び固定板５を介して連通する湯流入口５ａと水流入口５ｂの開口面積が変化し、前記ジョイスティック４１の傾倒方向および傾倒角度にて湯水の混合比および吐出量を任意に調節可能とした混合栓４を設け、前記ジョイスティック４１をボウル部２の近傍に配置し、ジョイスティック４１の傾倒方向に応じた湯水の混合比における湯水温度を表示する扇形の表示部Ｈをジョイスティック４１の傾倒方向に対応するように設けて成ることを特徴とするものである。
【００１０】
このような構成とすることで、湯水を吐出しようと腕を伸ばして前のめりの姿勢となってしまうことがなく、身体障害者や子供、お年寄りにとっても容易に操作することができ、扇形の表示部Ｈにより、吐出する湯水の温度が見た目ですぐに分かるものである。
【００１１】
また請求項３に係る発明にあっては、請求項１又は２に係る発明において、ジョイスティック４１を傾倒させて湯水を吐出させる時に点灯する点灯部Ｔをジョイスティック４１に配置して成ることを特徴とするものである。
【００１２】
このような構成とすることで、このような構成により、点灯部Ｔが点灯しているとジョイスティック４１が傾倒して湯水が吐出されていることが分かるため、ジョイスティック４１が傾倒したままであることに気付かずに湯水が吐出され放しとなるのを防止することができる。
【発明の効果】
【００１３】
本発明にあっては、奥方に配置された操作部を操作しようと洗面カウンターの手前側に立って腕を伸ばして前のめりの姿勢となってしまうことがなく、湯水の温度、吐出量の調節を容易に行うことができるものであり、操作部としてジョイスティックを採用したことで特に握力を要することもなく、上述した使用者にとって容易に操作することができるものである。
【図面の簡単な説明】
【００１４】
【図１】本発明の一実施形態の洗面化粧台を示し、（ａ）は平面図であり、（ｂ）は正面断面図であり、（ｃ）は側断面図である。
【図２】混合栓を示し、（ａ）は側断面図であり、（ｂ）は正面断面図である。
【図３】（ａ）（ｂ）（ｃ）（ｄ）（ｅ）（ｆ）は同上の混合栓の湯水の混合比および吐出量の調節を説明する説明図である。
【図４】表示部を設けた場合の要部平面図である。
【図５】点灯部を設けた場合の要部斜視図である。
【図６】他の実施形態の平面図である。
【図７】従来例の洗面化粧台を示し、（ａ）は平面図であり、（ｂ）は正面断面図であり、（ｃ）は側断面図である。
【発明を実施するための形態】
【００１５】
本発明の一実施形態について図面に基づいて説明する。ジョイスティックの傾倒方向および傾倒角度にて湯水の混合比および吐出量を任意に調節可能とした混合栓は、特に限定されないが、従来より既存の混合栓が知られており、その一例について図２、図３に基づいて説明する。
【００１６】
混合栓４は、湯流入口５ａと水流入口５ｂが穿設されている固定板５に可動板６を水密かつ摺動可能に重ね合わせ、一本のジョイスティック４１の操作で、前記可動板６を直線的に往復移動させることにより、前記両流入口５ａ、５ｂの開閉を行い、可動板６を回転させることにより、両流入口５ａ、５ｂの開口面積比を変化させて混合比（湯温）の調節を行うものである。
【００１７】
固定板５は、中央側上面には周縁部上面より適当高さの段差をもつ長円形の膨出部（図示せず）が形成され、該長円形膨出部には、その長軸方向中央部でかつ、長軸を中心にして対称な位置に上記湯流入口５ａと水流入口５ｂとが上下に貫通して設けられており、湯流入口５ａは給湯管９２（図１参照）に、また水流入口５ｂは給水管９１（図１参照）にそれぞれ接続されるようになっている。
【００１８】
可動板６は固定板５上に重ね合わせられる円形状をしたもので、その底面には湯流入口５ａと水流入口５ｂとに連通可能な凹部６ａが穿設されている。
【００１９】
これら固定板５、可動板６はセラミックによって作製されており、両者の摺接面、つまり、固定板５の長円形膨出部上面とこれに対接する可動板６の底面は、水密を確保できる程度に研磨仕上げしてある。
【００２０】
符号７１は長円孔（図示せず）を有する筒体で、固定板５上に長円孔が長円形膨出部周囲の段差部分と嵌合した状態に固定されている。可動板６はこの長円孔の短径に対応する直径寸法に設定され、長円孔内で自在に回転でき、かつ、長円孔の短軸方向両側面で短軸方向への移動を規制され、長軸方向にのみ往復移動できるようになっている。符号７１ａは筒体７１の長軸方向一端に形成した湯水出口である。
【００２１】
符号７２は前記筒体７１の長円孔に嵌合する板押さえ部材であり、可動板６を固定板５の周囲側面と筒体７１の長円孔内側面との間に形成される隙間を閉塞している。
【００２２】
符号７３は板押さえ部材７２を覆う状態に設けたジョイスティック支持部材であり、筒体７１に対して固定されており、該ジョイスティック支持部材７３には、球面軸受部７４を介して一本のジョイスティック４１が支持されている。
【００２３】
符号８は互いに直交する枢支ピン８２ａ、８２ｂ周りに回転する二つの筒状部材８１ａ、８１ｂよりなるユニバーサルジョイント８で、一方の筒状部材８１ａはジョイスティック４１の基端に固定され、他方の筒状部材８１ｂは可動板６に回転力のみを伝達するように摺動可能に嵌入されている。
【００２４】
上記混合栓４の作用について説明する。ジョイスティック４１の傾倒によって可動板６が図３（ａ）の位置にあると、可動板６によって湯流入口５ａ及び水流入口５ｂが閉塞される。
【００２５】
ジョイスティック４１の傾倒によって可動板６が図３（ｂ）の位置まで移動すると、湯流入口５ａ及び水流入口５ｂが凹部６ａにそれぞれ合致するので、各流入口５ａ、５ｂより流入した湯及び水は、凹部６ａを経て固定板５、可動板６、筒体７１、板押さえ部材７２によって形成される混合室で混合され、湯水出口７１ａを経て湯水搬送管９３（図１参照）へと取り出される。
【００２６】
また、ジョイスティック４１の傾倒によって湯流入口５ａ及び水流入口５ｂの開口面積が次第に拡大し、流量が増加する。そしてジョイスティック４１をその軸線周りに任意の方向に回転させると、図３（ｃ）（ｄ）に示すように、可動板６が所定方向に回転するので、湯流入口５ａと水流入口５ｂの開口面積比が変化し、所望の混合比（すなわち湯温）に調節できる。
【００２７】
また、ジョイスティック４１を適当な機械的ストッパー（図示せず）によって規定される限界位相まで回転させると、図３（ｅ）（ｆ）に示すように湯流入口５ａ又は水流入口５ｂのみが閉塞され、水又は湯のみを取り出すことができる。
【００２８】
本発明においては、上記のような混合栓４のジョイスティック４１を洗面カウンター１の手前側端部近傍、本実施形態では洗面カウンター１上面のボウル部２の左右側方の手前側端部に設けてある。洗面カウンター１は平面視略矩形状をしたもので、その奥側の辺が部屋の壁に沿うように設置されると共に、この奥側の辺より上方に壁に沿って鏡Ｍが設置される。洗面カウンター１の下側には給水管９１、給湯管９２、および混合した湯水をカラン３に搬送する湯水搬送管９３が配設され、これらは洗面カウンター１の周端辺から下方の床にかけて設けられるカバー部材（図示せず）にて覆われる。
【００２９】
このように、ジョイスティック４１を洗面カウンター１の手前側端部近傍に配置したことで、身体障害者（特に車椅子に座った人）や身体の小さい子供、身体の自由が効き難いお年寄り等の使用者は、従来のように奥方に配置されたレバー（図７の４１’）のような操作部を操作しようと洗面カウンター１の手前側に立って腕を伸ばして前のめりの姿勢となってしまうことがなく、湯水の温度、吐出量の調節を容易に行うことができるものであり、操作部としてジョイスティック４１を採用したことで特に握力を要することもなく、上述した使用者にとって容易に操作することができるものである。
【００３０】
また、ジョイスティック４１の傾倒方向に応じた湯水の混合比における湯水温度を表示する表示部Ｈをジョイスティック４１の傾倒方向に対応するように設けてもよい。これは、例えば図４に示すように、ジョイスティック４１の傾倒方向に対して、その時に吐出される湯水の温度が見た目で分かるようにジョイスティック４１の傾倒方向に応じて本実施形態では冷たい方から「水」「ぬるい」「あつい」の三段階に分けて表示してある。前記段数は特に限定されない。このような構成により、吐出する湯水の温度が見た目ですぐに分かるようになるものである。
【００３１】
また、ジョイスティック４１を傾倒させて湯水を吐出させる時に点灯する点灯部Ｔをジョイスティック４１に配置してもよい。これは、例えば図５に示すように、ガラスや合成樹脂等の透明又は半透明な部材からなるジョイスティック４１にＬＥＤ等からなる点灯部Ｔを埋設し、ジョイスティック４１の基端部とジョイスティック支持部材７３とにスイッチ接点（図示せず）をそれぞれ設け、ジョイスティック４１を傾倒した状態で両スイッチ接点が接触して点灯部Ｔが点灯されるようにしてもよいし、他の方法によるものであってもよい。このような構成により、点灯部Ｔが点灯しているとジョイスティック４１が傾倒して湯水が吐出されていることが分かるため、ジョイスティック４１が傾倒したままであることに気付かずに湯水が吐出され放しとなるのを防止することができる。
【００３２】
また、図６に示す他の実施形態のように、ジョイスティック４１をボウル部２の手前側端部近傍、本実施形態ではボウル部２の左右側方のフランジ部２１の手前側端部に配置してもよく、このものにあっても図１に示す上実施形態と同様に湯水を吐出しようと腕を伸ばして前のめりの姿勢となってしまうことがなく、身体障害者や子供、お年寄りにとっても容易に操作することができる。
【符号の説明】
【００３３】
１  洗面カウンター
２  ボウル部
３  カラン
４  混合栓
４１  ジョイスティック
【図１】
2011174373.tif 000003
【図２】
2011174373.tif 000004
【図３】
2011174373.tif 000005
【図４】
2011174373.tif 000006
【図５】
2011174373.tif 000007
【図６】
2011174373.tif 000008
【図７】
2011174373.tif 000009